Podtech/llm-jp-corpus-v4-ja_patent huggingface dataset:
【手続補正書】
【提出日】平成20年2月13日(2008.2.13)
【手続補正１】
【補正対象書類名】明細書
【補正対象項目名】特許請求の範囲
【補正方法】変更
【補正の内容】
【特許請求の範囲】
【請求項１】  マイクロ機械デバイス又はマイクロ電気機械のための感熱アクチュエータであって、
（ａ）支持基板と、
（ｂ）アクチュエータ延長部分と、
（ｃ）一端を前記基板に取り付けられ、他端を前記アクチュエータ延長部分に取り付けられており、使用において電導によって加熱されるように構成された少くとも１つの第１アームと、
（ｄ）一端を前記基板に取り付けられ、他端を前記アクチュエータ延長部分に取り付けられており、前記第１アームから離隔された少くとも１つの第２アームと、
から成り、
前記少くとも１つの第１アームは、使用において、熱膨張するように配置されており、それによって該アクチュエータの前記延長部分に力を加えるようになされており、横断面でみて前記少くとも１つの第１アームと少くとも１つの第２アームの少くとも一方が非平面状であることを特徴とする感熱アクチュエータ。
【請求項２】  横断面でみて前記第１アームと第２アームの両方ともに非平面状である請求項１に記載の感熱アクチュエータ。
【請求項３】  前記少くとも１つの第１アームと少くとも１つの第２アームとは、横方向に互いに離隔させ、平面でみてオーバーラップしないように配置されている請求項１に記載の感熱アクチュエータ。
【請求項４】  前記第１アームと第２アームの側縁は、共通の平面内に位置している請求項１に記載の感熱アクチュエータ。
【請求項５】  前記第１アームの慣性中心は、前記共通の平面の一方の側に位置し、前記第２アームの慣性中心は、該共通の平面の他方の側に位置している請求項４に記載の感熱アクチュエータ。
【請求項６】  横断面でみて、第１アーム又は第２アームは、他方のアームから離れる方向に延長した側縁部分を含む請求項１に記載の感熱アクチュエータ。
【請求項７】  横断面でみて、前記側縁部分は内方に延長している請求項６に記載の感熱アクチュエータ。
【請求項８】  横断面でみて、前記第１アーム又は第２アームは、又は両方とも、Ｕ、Ｖ、Ｃ又はＷ形である請求項１に記載の感熱アクチュエータ。
【請求項９】  前記他端において互いに連結された２つの第１アームを有する請求項１に記載の感熱アクチュエータ。
【請求項１０】  ３つの第２アームを有する請求項１に記載の感熱アクチュエータ。
【請求項１１】  前記少くとも１つの第１アームと少くとも１つの第２アームとは、一体ユニットとして形成されており、該第１アームと第２アームとは、前記他端において横方向に延長した横アームに連結されている請求項１に記載の感熱アクチュエータ。
【手続補正書】
【提出日】平成20年4月17日(2008.4.17)
【手続補正１】
【補正対象書類名】明細書
【補正対象項目名】特許請求の範囲
【補正方法】変更
【補正の内容】
【特許請求の範囲】
【請求項１】  リン酸カルシウム含有生成物に固化する流動性組成物を生成する方法であって、該方法は、以下：
（ａ）ケイ酸塩溶液；ならびに
（ｂ）カルシウム源およびリン酸塩源を含有する乾燥反応物、
を合わせる工程であって、ここで、該ケイ酸塩溶液および乾燥反応物が、流動性材料を生成するに十分な比で合わせられる、工程；
を包含し、これによって、リン酸カルシウム含有生成物に固化する流動性材料が生成する、方法。
【請求項２】  前記比が、約０．２：１〜０．７：１の範囲である、請求項１に記載の方法。
【請求項３】  前記流動性組成物がペーストである、請求項２に記載の方法。
【請求項４】  前記ケイ酸塩溶液が、約１％〜１５％の範囲の濃度を有する可溶性ケイ酸塩の溶液である、請求項１に記載の方法。
【請求項５】  前記流動性組成物が、約５〜１０分間の範囲の時間で、前記リン酸カルシウム含有生成物に固化する、請求項１に記載の方法。
【請求項６】  前記リン酸カルシウム含有生成物が、約２５〜１００ＭＰａの範囲の圧縮強度を有する、請求項１に記載の方法。
【請求項７】  リン酸カルシウム含有生成物に固化するペーストを生成する方法であって、該方法が、以下：
（ａ）（ｉ）カルシウム源およびリン酸塩源を含有する、乾燥反応物；ならびに
（ｉｉ）約５％〜１０％の範囲の濃度を有する可溶性ケイ酸塩の溶液、
を合わせる工程であって、ここで、該乾燥反応物および該溶液が、該ペーストを提供するに十分な比で合わせられる、工程；ならびに
（ｂ）該合わせた反応物および溶液を、ペーストを生成するに十分な時間にわたって混合する工程、
を包含し、これによって、リン酸カルシウム含有生成物に固化し得るペーストが生成する、方法。
【請求項８】  前記比が、約０．３〜０．５の範囲である、請求項７に記載の方法。
【請求項９】  前記ペーストが、約４〜１０分間の範囲の時間で、約４０〜７０ＭＰａの範囲の圧縮強度を有するリン酸カルシウム含有生成物に固化する、請求項７に記載の方法。
【請求項１０】  前記可溶性ケイ酸塩がケイ酸ナトリウムである、請求項７に記載の方法。
【請求項１１】  リン酸カルシウム含有生成物に固化する流動性組成物であって、該組成物が、以下：
カルシウムおよびリン酸塩の源を含有する乾燥反応物を、可溶性ケイ酸塩の溶液と合わせる工程；ならびに
該合わせた乾燥反応物および溶液を、該流動性生成物を生成するに十分な時間にわたって混合する工程、
を包含する方法によって生成する、組成物。
【請求項１２】  前記組成物がペーストである、請求項１１に記載の組成物。
【請求項１３】  前記リン酸カルシウム含有組成物が、アパタイト性生成物である、請求項１１に記載の組成物。
【請求項１４】  前記組成物が、約４〜１２分間の範囲の時間で固化する、請求項１１に記載の組成物。
【請求項１５】  前記リン酸カルシウム含有生成物が、約２５〜１００の範囲の圧縮強度を有する、請求項１１に記載の組成物。
【請求項１６】  リン酸カルシウム生成物に固化する流動性組成物を調製する際に使用するためのキットであって、該キットが、以下：
（ａ）カルシウム源およびリン酸源を含有する、乾燥反応物；ならびに
（ｂ）可溶性ケイ酸塩の溶液、
を備える、キット。
【請求項１７】  前記可溶性ケイ酸塩が、約５〜１０％の範囲の濃度を有する、請求項１６に記載のキット。
【請求項１８】  前記可溶性ケイ酸塩がケイ酸ナトリウムである、請求項１６に記載のキット。
【請求項１９】  硬組織欠損を修復するためのシステムであって、該システムが、以下：
該欠損の部位に、リン酸カルシウム含有生成物に固化する流動性組成物を塗布するための手段を備え、ここで、該組成物が、以下：
（ａ）カルシウムおよびリン酸塩の源を含有する乾燥反応物を、可溶性ケイ酸塩の溶液と合わせる工程；ならびに
（ｂ）該合わせた乾燥反応物および溶液を、該流動性生成物を生成するに十分な時間にわたって混合する工程、
を包含する方法によって生成される、システム。
【請求項２０】  前記組成物がペーストである、請求項１９に記載のシステム。
【請求項２１】  前記リン酸カルシウム含有生成物が、アパタイト性生成物である、請求項１９に記載のシステム。
【請求項２２】  前記組成物が、約４〜１２分間の範囲の時間で固化する、請求項１９に記載のシステム。
【請求項２３】  前記リン酸カルシウム含有生成物が、約２５〜１００ＭＰａの範囲の圧縮強度を有する、請求項１９に記載のシステム。
【請求項２４】  前記硬組織が骨である、請求項１９に記載のシステム。
【請求項２５】  前記欠損が整復された骨折である、請求項２４に記載のシステム。
【請求項２６】  前記欠損が頭蓋における欠損である、請求項２４に記載のシステム。
【請求項２７】  パッケージされたリン酸カルシウムセメントであって、該パッケージされたセメントが、以下：
取り外し可能な障壁によって第一の区画および第二の区画に分離された、管状要素；
該第一の区画内に存在する、カルシウムおよびリン酸塩の源を含有する乾燥反応物；ならびに
該第二の区画内に存在する、可溶性ケイ酸塩の溶液、
を含む、パッケージされたリン酸カルシウムセメント。
【請求項２８】  前記取り外し可能な障壁がクリップである、請求項２７に記載のパッケージされたリン酸カルシウムセメント。
【請求項２９】  前記取り外し可能な障壁が壊れやすい障壁である、請求項２７に記載のパッケージされたリン酸カルシウムセメント。
【請求項３０】  前記管状要素が、第二の滅菌的に維持された要素の内側に存在する、請求項２７に記載のパッケージされたリン酸カルシウムセメント。
【手続補正書】
【提出日】平成20年3月6日(2008.3.6)
【手続補正１】
【補正対象書類名】明細書
【補正対象項目名】特許請求の範囲
【補正方法】変更
【補正の内容】
【特許請求の範囲】
【請求項１】 
汚染材料上に低透過性バリアを形成する段階と、それによって、水圧閉鎖システムを形成する段階と、汚染を処理するために運搬装置を用いて物質を運ぶこと及びバリアの下から流動性材料を除去することのうちの少なくとも一方によってバリアの下の材料を処理する段階とを備え、
前記汚染材料が、淡水又は塩水条件によって特徴づけられた深海又は湿地帯環境で生ずる永久的又は周期的に水中の汚染材料を備えた汚染材料の処理方法。 
【請求項２】 
材料が、化学的処理プロセス、生物学的処理プロセス及び汚染物固定プロセスのうちの少なくとも一によって処理される請求項１に記載の方法。 
【請求項３】 
前記処理は、流動性材料の汚染材料への運搬を通して行う請求項２に記載の方法。
【請求項４】 
前記低透過性バリアがバリア層であり、さらに、該低透過性バリア層の下の透過性排水層を形成する段階を備えた請求項１に記載の方法。
【請求項５】 
前記汚染材料から流動性材料を除去することによって、前記処理を実施する請求項１に記載の方法。
【請求項６】 
前記汚染材料の第１の部分を低透過性バリアによってカバーし、前記汚染材料の第２の部分を透過性材料によってカバーして、漏斗及びゲートシステムを形成し、ゲートを介して流動性材料の移動を促進する請求項１に記載の方法。 
【請求項７】 
前記透過性材料を、砂サイズ材料、粘度鉱物、粘度サイズ又は擬粘度サイズ材料、ポゾラン材料、ゼロ価の鉄、活性炭、及び、微生物のうちの一又は二以上を組み合わせることによって形成する請求項６に記載の方法。 
【請求項８】 
流動性材料を前記汚染材料中へ運搬する段階を備え、運搬された前記流動性材料がゲートを介して流動性材料の移動を促進する請求項６に記載の方法。
【請求項９】 
前記材料を、植物浄化プロセスを備えた生物学的処理プロセスによって処理する請求項２に記載の方法。
【請求項１０】 
前記植物浄化プロセスは、汚染物の分解又は除去をもたらすように、植物の成長によって行う請求項９に記載の方法。 
【請求項１１】 
前記バリアが底生生物の生息地として機能する請求項１に記載の方法。
【請求項１２】 
前記バリアが植物成長のための基板として機能する請求項１に記載の方法。
【請求項１３】 
前記バリアがバリア層として形成され、バリア層上に変成バリア層を形成する段階をさらに備え、該変成バリア層が、汚染材料上の植物及底生生物のうちの少なくとも一のための生息地を提供するように構成されている請求項１に記載の方法。 
【請求項１４】 
バリアがバリア層として形成され、バリア層と汚染材料との間に変成バリア層を形成する段階をさらに備え、変成バリア層は汚染材料内での植物の生長を促進するように構成された請求項１に記載の方法。
【請求項１５】 
水中地表環境において密閉状態を形成する方法であって： 
シーラント材料を含む、製造され複数の複合粒子を水中地表環境に配置する段階と、 
シーラント材料を水和して凝集シールを形成する段階と、を備えた方法。
【請求項１６】 
配管のまわりを密閉するために、配管のまわりに前記複合粒子を配置する請求項１５に記載の方法。
【請求項１７】 
前記複合粒子を低浸透性充填材として用いる請求項１５に記載の方法。
【請求項１８】 
前記複合粒子を井戸内に配置する請求項１５に記載の方法。
【請求項１９】
前記凝集シールは付着特性を有する請求項１５に記載の方法。
【請求項２０】
前記シーラント材料が浸食制御物体と表面との間の付着を増大する前記請求項１５に記載の方法。
【請求項２１】 
周期的に又は継続して浸水した地表の浸食を制御する方法であって： 
表面上の浸食制御物体のまわりに、水和されると凝集し、低透過性となるシーリング材料を含む製造された複数の複合粒子に置く段階と、
シーリング材料が表面上に浸食制御物体を物理的に安定化する段階と、を備えた方法。
【手続補正書】
【提出日】平成20年3月5日(2008.3.5)
【手続補正１】
【補正対象書類名】明細書
【補正対象項目名】特許請求の範囲
【補正方法】変更
【補正の内容】
【特許請求の範囲】
【請求項１】  ７α，１１β−ジメチル−１７β−ヒドロキシ−４−エストレン−３−オン・ブシクレートまたは７α，１１β−ジメチル−１７β−ヒドロキシエストル−４−エン−３−オン・１７−ウンデカノエートの有効量および医薬として許容される担体を含む、ホルモン治療を提供するための経口医薬製剤。
【請求項２】  ７α，１１β−ジメチル−１７β−ヒドロキシ−４−エストレン−３−オン・ブシクレートまたは７α，１１β−ジメチル−１７β−ヒドロキシエストル−４−エン−３−オン・１７−ウンデカノエートの有効量および医薬として許容される担体を含む、ホルモン治療を提供するための非経口医薬製剤。
【請求項３】  ホルモン治療が男性の避妊であり、該医薬製剤がエストロゲン、プロゲスチン、又は両方を更に含む、請求項１または２に記載の医薬製剤。
【請求項４】  ２５ｍｇまでの７α，１１β−ジメチル−１７β−ヒドロキシ−４−エストレン−３−オン・ブシクレートまたは７α，１１β−ジメチル−１７β−ヒドロキシエストル−４−エン−３−オン・１７−ウンデカノエート、及び医薬として許容される担体を含む経口医薬製剤。
【請求項５】  ３００ｍｇまでの７α，１１β−ジメチル−１７β−ヒドロキシ−４−エストレン−３−オン・ブシクレートまたは７α，１１β−ジメチル−１７β−ヒドロキシエストル−４−エン−３−オン・１７−ウンデカノエート、及び水を含む水性非経口医薬製剤。
【請求項６】  ７α，１１β−ジメチル−１７β−ヒドロキシ−４−エストレン−３−オン・ブシクレートの製造方法であって、
（ａ）化合物１
【化１】
2003531119.tif 000001
のエーテル基をカルボニル基に変換し、化合物２
【化２】
2003531119.tif 000002
を提供する工程と；
（ｂ）化合物２のＣ１７のカルボニル基を還元し、かつＣ３のカルボニル基をケタール化し、化合物４
【化３】
2003531119.tif 000003
を提供する工程と；
（ｃ）化合物４をエポキシ化し、化合物５のエポキシド
【化４】
2003531119.tif 000004
を提供する工程と；
（ｄ）グリニャール試薬の使用によって、化合物５のエポキシド環を開き、Ｃ11にアルキル基を置換し、化合物６
【化５】
2003531119.tif 000005
６ａ：Ｒ＝アルファ−Ｍｅ
６ｂ：Ｒ＝ベータ−Ｍｅ
（１１α−及び１１β−メチル異性体、それぞれ化合物６ａ及び６ｂの混合物を含む）を提供する工程と；
（ｅ）化合物６を脱ケタール化及び脱水し、化合物７
【化６】
2003531119.tif 000006
７ａ：Ｒ＝アルファ−Ｍｅ
７ｂ：Ｒ＝ベータ−Ｍｅ
を提供する工程と；
（ｆ）化合物７ｂを、化合物９
【化７】
2003531119.tif 000007
に変換する工程と；
（ｇ）化合物９を、化合物１０
【化８】
2003531119.tif 000008
に変換する工程と；
（ｈ）化合物１０をエステル化し、化合物Ｉ
【化９】
2003531119.tif 000009
（７α，１１β−ジメチル−１７β−ヒドロキシ−４−エストレン−３−オン・ブシクレート）を提供する工程と；
を含む方法。
【請求項７】  工程（ｆ）の前に、化合物７の異性体をケタール化し、化合物８
【化１０】
2003531119.tif 000010
を提供し、次いで、化合物８を脱ケタール化し、次にエピマー化を行うことを更に含み、１１α−メチル異性体（化合物７ａ）に対する１１β−メチル異性体（化合物７ｂ）の比を増大させる、請求項６に記載の方法。
【請求項８】  式５
【化１１】
2003531119.tif 000011
、
式６
【化１２】
2003531119.tif 000012
６ａ：Ｒ＝アルファ−Ｍｅ
６ｂ：Ｒ＝ベータ−Ｍｅ、
式７
【化１３】
2003531119.tif 000013
７ａ：Ｒ＝アルファ−Ｍｅ
７ｂ：Ｒ＝ベータ−Ｍｅ、
式９
【化１４】
2003531119.tif 000014
の化合物、または１３０〜１３２℃の融点を有する、式Ｉ
【化１５】
2003531119.tif 000015
の結晶性化合物。
【請求項９】  ７α，１１β−ジメチル−１７β−ヒドロキシエストル−４−エン−３−オン・１７−ウンデカノエート（化合物ＩＩ）の製造方法であって、
（ａ）化合物１
【化１６】
2003531119.tif 000016
のエーテル基をカルボニル基に変換し、化合物２
【化１７】
2003531119.tif 000017
を提供する工程と；
（ｂ）化合物２のＣ１７のカルボニル基を還元し、かつＣ３のカルボニル基をケタール化し、化合物４
【化１８】
2003531119.tif 000018
を提供する工程と；
（ｃ）化合物４をエポキシ化し、化合物５のエポキシド
【化１９】
2003531119.tif 000019
を提供する工程と；
（ｄ）グリニャール試薬の使用によって、化合物５のエポキシド環を開き、Ｃ11にアルキル基を置換し、化合物６
【化２０】
2003531119.tif 000020
６ａ：Ｒ＝アルファ−Ｍｅ
６ｂ：Ｒ＝ベータ−Ｍｅ
（１１α−及び１１β−メチル異性体、それぞれ化合物６ａ及び６ｂの混合物を含む）を提供する工程と；
（ｅ）化合物６を脱ケタール化及び脱水し、化合物７
【化２１】
2003531119.tif 000021
７ａ：Ｒ＝アルファ−Ｍｅ
７ｂ：Ｒ＝ベータ−Ｍｅ
を提供する工程と；
（ｆ）化合物７ｂを、化合物９
【化２２】
2003531119.tif 000022
に変換する工程と；
（ｇ）化合物９を、化合物１０
【化２３】
2003531119.tif 000023
に変換する工程と；
（ｈ）化合物１０をエステル化し、化合物ＩＩ
【化２４】
2003531119.tif 000024
を提供する工程と；
を含む方法。
【請求項１０】  結晶形態である７α，１１β−ジメチル−１７β−ヒドロキシエストル−４−エン−３−オン・１７−ウンデカノエート（化合物ＩＩ）。
【手続補正書】
【提出日】平成20年4月3日(2008.4.3)
【手続補正１】
【補正対象書類名】明細書
【補正対象項目名】特許請求の範囲
【補正方法】変更
【補正の内容】
【特許請求の範囲】
【請求項１】  化合物４
【化１】
2003531148.tif 000001
の１級ヒドロキシル置換基を位置選択的に酸化して化合物５
【化２】
2003531148.tif 000002
を得るための方法であって、
化合物４を、２，２，６，６−テトラメチル−１−ピペリジニルオキシフリーラジカル（ＴＥＭＰＯ）触媒の存在下で漂白剤と反応させる工程を包含する、方法。
【請求項２】  化合物１０
【化３】
2003531148.tif 000003
のＣ２４ヒドロキシル基を位置選択的にスルホン化して化合物１１
【化４】
2003531148.tif 000004
を得るための方法であって、
化合物１０を、５％過剰の三酸化硫黄−ピリジン錯体と反応させる工程を包含する、方法。
【請求項３】  アミノステロール化合物を調製するための方法であって、
（ａ）化合物２：
【化５】
2003531148.tif 000005
をＬｉおよびＮＨ３と反応させて、化合物３：
【化６】
2003531148.tif 000006
を形成する工程；
（ｂ）化合物３をＴＭＳＣｌおよびエチレングリコールと反応させて、化合物４：
【化７】
2003531148.tif 000007
を形成する工程；
（ｃ）化合物４を漂白剤およびＴＥＭＰＯ触媒と反応させて、化合物５：
【化８】
2003531148.tif 000008
を形成する工程；
（ｄ）化合物５を（ＥｔＯ２）Ｐ（Ｏ）−ＣＨ２−Ｃ（Ｏ）−ＣＨ（ＣＨ３）２およびナトリウムｔ−ブトキシドと反応させて、化合物７：
【化９】
2003531148.tif 000009
を形成する工程；
（ｅ）化合物７を充分な条件下で反応させて、化合物８：
【化１０】
2003531148.tif 000010
を形成する工程；
（ｆ）化合物８の水素付加を行って、化合物９：
【化１１】
2003531148.tif 000011
を形成する工程；
（ｇ）化合物９を脱保護して、化合物１０：
【化１２】
2003531148.tif 000012
を形成する工程；
（ｈ）化合物１０を５％過剰のＳＯ３：ピリジンと反応させて、化合物１１：
【化１３】
2003531148.tif 000013
を形成する工程；ならびに
（ｉ）化合物１１を適切なアミンと反応させて、スクアラミンまたは化合物１４３６：
【化１４】
2003531148.tif 000014
を形成する工程、
を包含する、方法。
【請求項４】  式４：
【化１５】
2003531148.tif 000015
の化合物。
【請求項５】  式５：
【化１６】
2003531148.tif 000016
の化合物。
【請求項６】  式７：
【化１７】
2003531148.tif 000017
の化合物。
【請求項７】  式８：
【化１８】
2003531148.tif 000018
の化合物。
【手続補正書】
【提出日】平成20年3月28日(2008.3.28)
【手続補正１】
【補正対象書類名】明細書
【補正対象項目名】０００２
【補正方法】変更
【補正の内容】
【０００２】
（背景技術）
［［（ピリジル置換）メチル］スルフィニル］ベンズイミダゾールの幾つかの誘導体の中には、オメパラゾール、２−［［３，５−ジメチル−４−（メトキシ−２−ピリジル）メチル］スルフィニル］−５−メトキシ−１Ｈ−ベンズイミダゾール、ランソプラゾール、２−［［［３−メチル−４−（２，２，２−トリフルオロエトキシ）−２−ピリジル］メチル］スルフィニル］−１Ｈ−ベンズイミダゾール、ラベプラゾール、２−［［［３−メチル−４−（３−メトキシプロポキシ）−２−ピリジル］メチル］スルフィニル］−１Ｈ−ベンズイミダゾール、パントプラゾール、５−ジフルオロメトキシ−２−［［（３，４−ジメトキシ−２−ピリジル）メチル］スルフィニル］−１Ｈ−ベンズイミダゾールがあり、これらの誘導体は、胃潰瘍、十二指腸潰瘍、ゾリンジャー・エリソン症候群および逆流性食道炎の治療において有用な抗潰瘍薬である。
【手続補正２】
【補正対象書類名】明細書
【補正対象項目名】００３５
【補正方法】変更
【補正の内容】
【００３５】
実施例９
２−［［３，５−ジメチル−４−（メトキシ−２−ピリジル）メチル］チオ］−５−メトキシ−１Ｈ−ベンズイミダゾール
メタノール６０ｍｌ中のナトリウムメトキシド２４ｇの溶液を調製し、メタノール４０ｍｌ中の塩化トリエチルベンジル塩化アンモニウム１．２５ｇと２−［［３，５−ジメチル−４−（ニトロ−２−ピリジル）メチル］チオ］−５−メトキシ−１Ｈ−ベンズイミダゾール２５ｇの混合物に添加した。その後、これを還流まで６〜１０時間にわたり加熱した。反応が終わった後、水を添加し、製品をジクロロメタンで抽出した。溶媒を蒸発させ、所望の化合物１０．６ｇ（８９％）を得た。
【手続補正書】
【提出日】平成20年4月7日(2008.4.7)
【手続補正１】
【補正対象書類名】明細書
【補正対象項目名】特許請求の範囲
【補正方法】変更
【補正の内容】
【特許請求の範囲】
【請求項１】 幹細胞、その子孫、またはそれらの組合せを含む、障害を治療するための薬学的組成物であって、該障害に冒された患者の胃腸臓器に、該幹細胞、その子孫、またはそれらの組合せが移植される、薬学的組成物。
【請求項２】 前記移植された細胞は、ニューロン、筋肉、または他の組織を再形成する、請求項１に記載の薬学的組成物。
【請求項３】 前記細胞は、治療上の処置のための生物学的材料源を提供する、請求項１または２に記載の薬学的組成物。
【請求項４】 前記幹細胞は、多能性幹細胞、多分化能性幹細胞、全能性幹細胞、およびそれらの組合せからなる群から選択される、請求項１〜３のいずれか１項に記載の薬学的組成物。
【請求項５】 前記細胞は、神経幹細胞である、請求項１〜４のいずれか１項に記載の薬学的組成物。
【請求項６】 前記細胞は、胚性神経組織、成人神経組織、またはそれらの組合せから得られる、請求項５に記載の薬学的組成物。
【請求項７】 前記胃腸臓器は、実質性臓器を含む、請求項１〜６のいずれか１項に記載の薬学的組成物。
【請求項８】 前記実質性胃腸臓器は、肝臓、胆嚢、または膵臓である、請求項７に記載の薬学的組成物。
【請求項９】 前記胃腸臓器は、中空臓器を含む、請求項１〜６のいずれか１項に記載の薬学的組成物。
【請求項１０】 前記中空胃腸臓器は、口、食道、胃、または腸である、請求項９に記載の薬学的組成物。
【請求項１１】 患者の胃腸臓器に移植するために、前記細胞が局所投与される、請求項１〜１０のいずれか１項に記載の薬学的組成物。
【請求項１２】 胃腸管の壁に前記細胞が注入される、請求項１１に記載の薬学的組成物。
【請求項１３】 胃腸管に移植するために、前記細胞が全身投与される、請求項１〜１０のいずれか１項に記載の薬学的組成物。
【請求項１４】 前記障害は、胃腸管の変性状態、免疫学的／炎症状態、腫瘍性状態、先天性状態、後天性状態または特発性状態を含む、請求項１〜１３のいずれか１項に記載の薬学的組成物。
【請求項１５】 幹細胞および／またはその子孫を含む、患者中に増大したレベルのインシュリンを産生するための薬学的組成物であって、前記患者の膵臓に、該幹細胞および／またはその子孫が移植される、薬学的組成物。
【請求項１６】 前記幹細胞は、多能性細胞、多分化能性細胞、全能性細胞、およびそれらの組合せからなる群から選択される、請求項１５に記載の薬学的組成物。
【請求項１７】 前記細胞は、神経幹細胞である、請求項１５または１６に記載の薬学的組成物。
【請求項１８】 前記細胞は、胚性神経組織、成人神経組織、またはそれらの組合せから得られる、請求項１５〜１７のいずれか１項に記載の薬学的組成物。
【請求項１９】 単離された胚性神経幹細胞を含む、低レベルの一酸化窒素（ＮＯ）に関連する胃腸障害に罹患する患者の胃腸消化管内にＮＯを提供するための薬学的組成物であって、該単離された胚性神経幹細胞は、該患者の胃腸消化管内に直接移植され、該移植された胚性神経幹細胞は、ＮＯを産生する、薬学的組成物。
【請求項２０】 前記移植された神経幹細胞は、さらにサブスタンスＰを産生する、請求項１９に記載の薬学的化合物。
【請求項２１】 前記神経幹細胞は、幽門または十二指腸に移植される、請求項１９または２０に記載の薬学的組成物。
【請求項２２】 前記胃腸障害が、アカラシア、ヒルシュスプルング病、先天性幽門狭窄、逆流疾患、過敏性腸、および腸偽閉塞症からなる群より選択される、請求項１９〜２１のいずれか１項に記載の薬学的組成物。
【請求項２３】 単離された胚性神経幹細胞を含む、低レベルの一酸化窒素（ＮＯ）に関連する腸管神経障害に罹患する患者における腸管神経系の障害を治療するための薬学的組成物であって、該単離された胚性神経幹細胞は、該患者の胃腸消化管内に直接移植され、該移植された胚性神経幹細胞は、ＮＯを産生する、薬学的組成物。
【手続補正書】
【提出日】平成20年4月23日(2008.4.23)
【手続補正１】
【補正対象書類名】明細書
【補正対象項目名】特許請求の範囲
【補正方法】変更
【補正の内容】
【特許請求の範囲】
【請求項１】  以下の式を有する化合物：
【化２】
2003531196.tif 000001
式中、R1は水素、どちらも分枝、非分枝、飽和、もしくは不飽和でありうるC1-14アルキル基、またはアリール基であり；
R2およびR3は、それぞれに、水素、または飽和、不飽和、分枝、もしくは非分枝でありうるC1-14アルキル基であり；
R4およびR5は、それぞれに、水素、どちらも飽和、不飽和、分枝、もしくは非分枝でありうるC1-14アルキル基、またはアリール基であり；
R6は、水素、またはC1-14アルキル基であり；
X1およびX2は、それぞれに、O、S、またはNであり；
X3は、Sであり；ならびに
nは0から5である。
【請求項２】  以下の式を有する請求項1記載の化合物：
【化４】
2003531196.tif 000002
式中、R1は水素、どちらも分枝、非分枝、飽和、もしくは不飽和でありうるC1-14アルキル基、またはアリール基であり；
R4およびR5は、それぞれに、どちらも飽和、不飽和、分枝、もしくは非分枝でありうるC1-14アルキル基、またはアリール基であり；
R6は、水素、またはC1-14アルキル基であり；
X1およびX2は、それぞれに、O、S、またはNであり；かつ
nは0から5である。
【請求項３】  R1が、フェニル、ベンジル、メチル、エチル、プロピル、イソプロピル、ブチル、イソブチル、sec-ブチル、ter-ブチル、ペンチル、イソペンチル、ネオペンチル、シクロヘキシル、ベンジル、トルイル、メチル、ノル-ボルニル、ボルニル、ラウリル、ミリスチル、またはアダマンタンメチルである、請求項2記載の化合物。
【請求項４】  R4およびR5が、それぞれエチル、アリル、フェニル、ベンジル、1-メチルブチル、sec-ブチル、イソブチル、2-シクロペンテニル、1-シクロヘキセン-1-イル、1-メチル-2-ペンチニル、イソペンチル、およびネオペンチルから選択される、請求項2記載の化合物。
【請求項５】  R6が、水素、メチル、またはエチルである、請求項2記載の化合物。
【請求項６】  R6が水素である、請求項2記載の化合物。
【請求項７】  X1およびX2がそれぞれOである、請求項2記載の化合物。
【請求項８】  nが0または1である、請求項2記載の化合物。
【請求項９】  R2、R3、R4、R5、およびR6がそれぞれ水素である、請求項2記載の化合物。
【請求項１０】  以下の式を有する請求項1記載の化合物：
【化３５】
2003531196.tif 000003
および
【化３６】
2003531196.tif 000004
【請求項１１】  請求項1記載の化合物：
1-カルボエトキシメチル-5,5-ジエチルチオバルビツール酸、1-カルボエトキシメチル-5-エチル-5-イソアミル-チオバルビツール酸、1-カルボエトキシメチル-5,5-ジブチルチオバルビツール酸、1-カルボメトキシトリデシル-5-エチル-5-(2-ペンチル)チオバルビツール酸、1-カルボメトキシウンデシル-5-エチル-5-(2-ペンチル)チオバルビツール酸、1-カルボ(ネオペンチルオキシ)メチル-5,5-ジブチルチオバルビツール酸、1-カルボ(ノルボルニルオキシ)メチル-5-エチル-5-イソアミルチオバルビツール酸、1-(4-酪酸モルホリンアミド)-5,5-ジプロピルチオバルビツール酸、1-(4-酪酸アミド) -5,5-ジプロピルチオバルビツール酸、1-(4-酪酸N,N-ジメチルアミド)-5,5-ジプロピルチオバルビツール酸、1-(2-プロピオン酸ter-ブチルエステル)-5-エチル-5-シクロペンチルチオバルビツール酸、1-(2-メチル-2-プロピオン酸ベンジルエステル)-5,5-ジプロピルチオバルビツール酸、1-カルボメトキシ-5,5-ジブチルチオバルビツール酸、1-カルボメトキシ-5,5-ジプロピルチオバルビツール酸、1-カルボメトキシ-5,5-ジエチルチオバルビツール酸、1-カルボメトキシ-5-アリル-5-(2-ペンチル)チオバルビツール酸、および1-カルボメトキシ-5-エチル-5-(2-ペンチル)チオバルビツール酸。
【請求項１２】  請求項1〜11のいずれか一項記載の薬学的に許容される塩。
【請求項１３】  請求項1〜12のいずれか一項記載の化合物および薬学的に許容される担体を含む組成物。
【請求項１４】  薬剤における使用のための、請求項1〜13のいずれか一項記載の化合物。
【請求項１５】  鎮静・催眠治療または抗痙攣治療を提供するための薬物の製造のための、請求項1〜14のいずれか一項記載の化合物の使用。
【手続補正書】
【提出日】平成20年2月26日(2008.2.26)
【手続補正１】
【補正対象書類名】明細書
【補正対象項目名】特許請求の範囲
【補正方法】変更
【補正の内容】
【特許請求の範囲】
【請求項１】  オキシブチニン治療に関連した、薬物による有害な経験を最小化する医薬組成物であって、オキシブチニンを含む医薬組成物において、該組成物は、オキシブチニン対オキシブチニン代謝物の薬物血漿中濃度時間曲線下面積（ＡＵＣ）比約０．５：１〜約５：１を提供する、医薬組成物。
【請求項２】  オキシブチニン対オキシブチニン代謝物のＡＵＣ比は約０．５：１〜約２：１である、請求項１に記載の組成物。
【請求項３】  オキシブチニン対オキシブチニン代謝物のＡＵＣ比は約１：１〜約５：１である、請求項１に記載の組成物。
【請求項４】  オキシブチニン対オキシブチニン代謝物のＡＵＣ比は約０．８：１〜約１．５：１である、請求項１に記載の組成物。
【請求項５】  血漿中の前記オキシブチニンは、（Ｒ）−オキシブチニン、（Ｓ）−オキシブチニン、またはこれらの組合せである、請求項１に記載の組成物。
【請求項６】  前記オキシブチニンの代謝物はＮ−デスエチルオキシブチニンである、請求項１に記載の組成物。
【請求項７】  前記Ｎ−デスエチルオキシブチニンは、（Ｒ）−Ｎ−デスエチルオキシブチニン、（Ｓ）−Ｎ−デスエチルオキシブチニン、またはこれらの組合せである、請求項６に記載の組成物。
【請求項８】  （Ｒ）−オキシブチニン対（Ｓ）−オキシブチニンのＡＵＣは約０．７：１である、請求項５に記載の組成物。
【請求項９】  （Ｒ）−Ｎ−デスエチルオキシブチニン対（Ｒ）−オキシブチニンのＡＵＣは約０．４：１〜約１．６：１である、請求項７に記載の組成物。
【請求項１０】  （Ｒ）−Ｎ−デスエチルオキシブチニン対（Ｒ）−オキシブチニンのＡＵＣ比は約１：１である、請求項９に記載の組成物。
【請求項１１】  （Ｒ）−Ｎ−デスエチルオキシブチニン対（Ｓ）−Ｎ−デスエチルオキシブチニンのＡＵＣ比は約０．５：１〜約１．３：１である、請求項７に記載の組成物。
【請求項１２】  （Ｒ）−Ｎ−デスエチルオキシブチニン対（Ｓ）−Ｎ−デスエチルオキシブチニンのＡＵＣ比は約０．９：１である、請求項７に記載の組成物。
【請求項１３】  代謝物血漿中濃度はピーク血漿値約８ng/ml未満に達する、請求項１に記載の組成物。
【請求項１４】  代謝物血漿中濃度はピーク値約５ng/ml未満に達する、請求項１に記載の組成物。
【請求項１５】  前記組成物は、経口、腸管外、経皮、吸入、または植込み型組成物からなる群から選択される製剤である、請求項１に記載の組成物。
【請求項１６】  前記組成物は非経口組成物である、請求項１に記載の組成物。
【請求項１７】  持続放出組成物である、請求項１に記載の組成物。
【請求項１８】  前記組成物は経皮組成物である、請求項１５に記載の組成物。
【請求項１９】  浸透増強剤、抗刺激剤、接着調節剤、またはこれらの組合せからなる群から選択される所望による成分をさらに含む、請求項１８に記載の組成物。
【請求項２０】  前記薬物による有害な経験は、胃腸／尿生殖器の経験、神経系の経験、心臓血管の経験、皮膚科学的経験、及び眼科的経験、またはこれらの組合せからなる群から選択される経験である、請求項１に記載の組成物。
【請求項２１】  前記有害な経験は、抗コリン作用性の有害な経験、または抗ムスカリン作用性の有害な経験である、請求項２０に記載の組成物。
【請求項２２】  請求項１〜２１のいずれか１項に記載の組成物を含む経皮適用のための製造物品において、前記組成物は、対象に投与された後に、請求項１〜２１のいずれか１項に記載のオキシブチニン対オキシブチニン代謝物の血漿ＡＵＣ比を提供する、製造物品。
【手続補正書】
【提出日】平成20年4月18日(2008.4.18)
【手続補正１】
【補正対象書類名】明細書
【補正対象項目名】特許請求の範囲
【補正方法】変更
【補正の内容】
【特許請求の範囲】
【請求項１】  軟骨または骨の疾患を治療するための医薬組成物であって、治療有効量のレチノイド受容体作用薬または医薬的に許容されるその塩またはエステルを含有する組成物。
【請求項２】  該レチノイド受容体作用薬が、ＲＡＲ受容体作用薬または医薬的に許容されるその塩またはエステルである請求項１に記載の組成物。
【請求項３】  該ＲＡＲ受容体作用薬が、ＲＡＲαβγ受容体作用薬または医薬的に許容されるその塩またはエステルである請求項２に記載の組成物。
【請求項４】  該疾患が骨格異形成である請求項１に記載の組成物。
【請求項５】  軟骨または骨の疾患に関連した症状を改善するための医薬組成物であって、治療有効量のレチノイド受容体作用薬を含有する組成物。
【請求項６】  該レチノイド受容体拮抗薬がＲＡＲ受容体作用薬である請求項５に記載の組成物。
【請求項７】  該ＲＡＲ受容体作用薬がＲＡＲαβγ受容体作用薬である請求項５に記載の組成物。
【請求項８】  骨原性細胞および骨芽細胞によって骨化を刺激するための医薬組成物であって、治療有効量のレチノイド受容体作用薬または医薬的に許容されるその塩またはエステルを含有する組成物。
【請求項９】  該レチノイド受容体作用薬が、ＲＡＲ受容体作用薬または医薬的に許容されるその塩またはエステルである請求項８に記載の組成物。
【請求項１０】  該ＲＡＲ受容体作用薬が、ＲＡＲαβγ受容体作用薬または医薬的に許容されるその塩またはエステルである請求項８に記載の組成物。
【請求項１１】  該疾患が骨粗鬆症である請求項８に記載の組成物。
【手続補正書】
【提出日】平成20年4月28日(2008.4.28)
【手続補正１】
【補正対象書類名】明細書
【補正対象項目名】特許請求の範囲
【補正方法】変更
【補正の内容】
【特許請求の範囲】
【請求項１】  次の工程：
−  哺乳動物から尿を採取し、
−  哺乳動物の尿を、容器中で酸化剤および／または酸素約９０％〜１００％（ｖ／ｖ）のガス雰囲気で処理し、
−  低分子量の物質を除去し、哺乳動物の変性尿を獲得する、
からなり、酸化剤が空気、Ｏ２、Ｈ２Ｏ２、Ｏ３およびこれらの組合せからなる群から選択されている、哺乳動物の尿の化学的変性法。
【手続補正書】
【提出日】平成19年12月12日(2007.12.12)
【手続補正１】
【補正対象書類名】明細書
【補正対象項目名】請求項９
【補正方法】変更
【補正の内容】
【請求項９】  工程（ｂ）で得られた４，４’−ジヒドロキシジフェニルスルホンを水／アセトン混合物からの再結晶により更に精製する請求項１〜８のいずれかに記載の製造方法。
【手続補正書】
【提出日】平成20年4月21日(2008.4.21)
【手続補正１】
【補正対象書類名】明細書
【補正対象項目名】特許請求の範囲
【補正方法】変更
【補正の内容】
【特許請求の範囲】
【請求項１】  アリールトリアルキルシリルエーテルと（Ｒ）−プロピレンオキサイドとを触媒の存在で接触させて（Ｒ）−１−（アリールオキシ）−２−トリアルキルシロキシプロパンおよび（Ｓ）−２−（アリールオキシ）−１−トリアルキルシロキシプロパンのレジオアイソマー混合物を生成させ、
この（Ｒ）−１−（アリールオキシ）−２−トリアルキルシロキシプロパンおよび（Ｓ）−２−（アリールオキシ）−１−トリアルキルシロキシプロパンのレジオアイソマー混合物とアルコールとを、（Ｒ）−１−（アリールオキシ）プロパン−２−オールおよび（Ｓ）−２−（アリールオキシ）プロパン−１−オールのレジオアイソマー混合物を生成するのに十分な温度および十分な時間にわたって酸の存在で接触させ、
この（Ｒ）−１−（アリールオキシ）プロパン−２−オールおよび（Ｓ）−２−（アリールオキシ）プロパン−１−オールのレジオアイソマー混合物とトリアリールメチルハライドとを、（Ｒ）−１−（アリールオキシ）プロパン−２−オールと（Ｓ）−２−（アリールオキシ）−１−トリアリールメチルオキシプロパンの粗混合物を生成するのに十分な温度および十分な時間にわたって塩基の存在で接触させ、そして  
この（Ｒ）−１−（アリールオキシ）プロパン−２−オールと（Ｓ）−２−（アリールオキシ）−１−トリアリールメチルオキシプロパンとの粗混合物を蒸留して（Ｒ）−１−（アリールオキシ）プロパン−２−オールをこの粗混合物から単離する
段階からなる、高いレジオ選択性および鏡像体選択性をもって（Ｒ）−１−（アリールオキシ）プロパン−２−オールを製造する方法。
【誤訳訂正書】
【提出日】平成20年4月17日(2008.4.17)
【誤訳訂正１】
【訂正対象書類名】明細書
【訂正対象項目名】特許請求の範囲
【訂正方法】変更
【訂正の内容】
【特許請求の範囲】
【請求項１】（ｉ）３３５８、２７６４、１２４５、８３３および７６０ｃｍ−１にピークを含む赤外スペクトル；および
（ｉｉ）１５．０、１７．７、２３．０、３０．０および３１．４°２θにピークを含むＸ線粉末回折（ＸＲＰＤ）パターン
のうちの少なくとも１つを生じることを特徴とする、結晶化合物としての５−［４−［２−（Ｎ−メチル−Ｎ−（２−ピリジル）アミノ）エトキシ］ベンジル］チアゾリジン−２，４−ジオン，塩酸塩１水和物。
【請求項２】３３５８、３１２４、２７６４、１７６２、１７４７、１７０７、１６４４、１６１４、１５８７、１５４４、１５１１、１４１４、１３３３、１３０２、１２６８、１２４５、１１８１、１１５４、１１４２、１１０８、１０７５、１０５４、１０３３、１０１２、９８８、９３８、９０５、８５９、８３３、８１７、７６０、７３８、７１６、６６３、６５２、６３６、６２０、６０５、５６４、５４０、５２５および５０５ｃｍ−１に赤外線のピークの位置を生じる請求項１記載の水和物。
【請求項３】８．８、１２．１、１４．１、１４．３、１５．０、１６．５、１７．７、１９．１、１９．９、２０．７、２１．３、２１．７、２３．０、２３．８、２４．３、２４．９、２５．６、２７．０、２７．６、２８．９、３０．０、３１．４、３２．２および３３．１°２シータにピークを含むＸ線粉末回折（ＸＲＰＤ）パターンを生じる請求項１または２に記載の水和物。
【請求項４】純粋な形態で単離した場合の請求項１ないし３のいずれか１項に記載の水和物。
【請求項５】他の物質と混合した場合の請求項１ないし３のいずれか１項に記載の水和物。
【請求項６】結晶形態の請求項１ないし５のいずれか１項に記載の水和物。
【請求項７】下記のいずれかの工程を行った後、所望化合物を回収することを特徴とする請求項１記載の水和物の製造方法：
（ａ）溶媒としての酢酸中で５−［４−［２−（Ｎ−メチル−Ｎ−（２−ピリジル）アミノ）エトキシ］ベンジル］チアゾリジン−２，４−ジオン（化合物Ｉ）を塩酸塩イオン源で処理すること；
（ｂ）２０℃ないし３０℃の範囲の温度において適当な水性有機溶媒中の化合物（Ｉ）の懸濁液を塩酸塩イオン源で処理すること；あるいは
（ｃ）有機溶媒中の化合物（Ｉ）の溶液を塩酸塩イオン源で処理して実質的に溶解した反応物を得て、次いで、結晶化させて水和物を得る。
【請求項８】有効で無毒の量の請求項１ないし６のいずれか１項に記載の水和物およびそのための医薬上許容される担体を含む医薬組成物。
【請求項９】糖尿病、糖尿病関連症状、ならびに腎疾患、糖尿病性ネフロパシー、糸球体腎炎、糸球体硬化症、ネフローゼ症候群、高血圧性腎化症および末期腎からなるそれらのある種の合併症の治療および／または予防のための請求項８記載の組成物の使用。
【請求項１０】糖尿病、糖尿病関連症状、ならびに腎疾患、糖尿病性ネフロパシー、糸球体腎炎、糸球体硬化症、ネフローゼ症候群、高血圧性腎化症および末期腎からなるそれらのある種の合併症の治療および／または予防のための医薬の製造のための請求項１ないし６のいずれか１項に記載の水和物の使用。
【誤訳訂正２】
【訂正対象書類名】明細書
【訂正対象項目名】０００５
【訂正方法】変更
【訂正の内容】
【０００５】
本発明は、純粋な形態で、または他の物質と混合した場合の単離された塩酸塩水和物を包含する。
したがって、１の態様において、単離形態の塩酸塩水和物が提供される。
さらなる態様において、純粋な形態の塩酸塩水和物が提供される。
またさらなる態様において、結晶形態の塩酸塩水和物が提供される。
本発明は、また、溶媒としての酢酸中で５−［４−［２−（Ｎ−メチル−Ｎ−（２−ピリジル）アミノ）エトキシ］ベンジル］チアゾリジン−２，４−ジオン（化合物Ｉ）を水性塩酸で処理し、その後、所望の化合物を回収することを特徴とする塩酸塩水和物の製法を提供する。
適当には、水性塩酸は、濃塩酸と水または適当な有機溶媒、例えば、変性エタノールまたはプロパン−２−オールまたはその混合液を混合することによって形成される。
適当には、反応は周囲の温度で行われるが、所望の生産物を提供するいずれかの都合のよい温度を用いてもよい。
【誤訳訂正３】
【訂正対象書類名】明細書
【訂正対象項目名】００３２
【訂正方法】変更
【訂正の内容】
【００３２】
実施例１：５−［４−２−Ｎ−メチル−Ｎ−（２−ピリジル）アミノ）エトキシ］ベンジル］チアゾリジン−２，４−ジオン，塩酸塩一水和物の調製：５−［４−２−Ｎ−メチル−Ｎ−（２−ピリジル）アミノ）エトキシ］ベンジル］チアゾリジン−２，４−ジオン（１０ｇ）の酢酸溶液（１００ｇ）に、濃塩酸（１０ｍｌ）を加えた。１５分後、清澄な溶液をジエチルエーテル処理（１５０ｍｌ）した。上澄液をデカンテーションし、残渣を新しいジエチルエーテル（１００ｍｌ）とともに攪拌した。この液を再びデカンテーションし、濁った（thick）オイルを新しいジエチルエーテル（５０ｍｌ）とともに攪拌した。生成物を濾過し、ジエチルエーテルで洗浄し、減圧下５０℃で乾燥させ、標題化合物（７．６７ｇ、６６．５％）、融点−再凝固で１００−３℃および再融解で１５０−４℃、を得た。
【手続補正書】
【提出日】平成20年3月28日(2008.3.28)
【手続補正１】
【補正対象書類名】明細書
【補正対象項目名】特許請求の範囲
【補正方法】変更
【補正の内容】
【特許請求の範囲】
【請求項１】  （ａ）同定されるべき塩基に直に隣接するＤＮＡストランドへのオリゴヌクレオチドのアニーリング工程；
（ｂ）酵素の存在下で、アニールしたＤＮＡストランドとオリゴヌクレオチドを４種の異なるジデオキシヌクレオチドと共にインキュベートする工程であって、ジデオキシヌクレオチドの１種が蛍光リポーター分子を有し、それにより、オリゴヌクレオチドが一塩基単位だけ伸長する工程；
（ｃ）伸長したオリゴヌクレオチドをミクロスフェア上に固定する工程；および
（ｄ）調査中の塩基が同定される、フローサイトメトリーを用いるミクロスフェアの蛍光の分析工程
の順序からなる、ＤＮＡストランド上の塩基を同定するための均一な方法。
【請求項２】  蛍光リポーター分子が蛍光ジデオキシヌクレオチドを含み、および酵素がＤＮＡポリメラーゼである請求項１記載の方法。
【請求項３】  オリゴヌクレオチドがビオチン化され、およびミクロスフェアがアビジンまたはストレプトアビジンで被覆されている請求項１記載の方法。
【請求項４】  ミクロスフェアがビオチン化され、およびオリゴヌクレオチドがアビジンまたはストレプトアビジンに結合されている請求項１記載の方法。
【請求項５】  オリゴヌクレオチドがミクロスフェアに共有結合されている請求項１記載の方法。
【請求項６】  オリゴヌクレオチドが、ミクロスフェア上に固定されている相補的な捕捉プローブにハイブリダイズされる請求項１記載の方法。
【請求項７】  オリゴヌクレオチドが、捕捉プローブにハイブリダイズされる配列タグを含み、配列タグおよび捕捉プローブはイソ−Ｃおよび５−メチル−イソ−Ｇからなる群より選択された少なくとも１つの非天然型塩基を含む請求項６記載の方法。
【請求項８】  ＤＮＡストランド上の部位における塩基を同定するための均一な方法であって、
（ａ）リガーゼの存在下で、オリゴヌクレオチド１を塩基に直に隣接するＤＮＡストランドにアニールし、オリゴヌクレオチド２をオリゴヌクレオチド１に隣接したＤＮＡストランドにアニールする工程であり、オリゴヌクレオチド２は蛍光リポーター分子および同定されようとしている塩基に相補的である応答塩基の両方を含み、該リガーゼの存在下でオリゴヌクレオチド２がオリゴヌクレオチド１に結合し、ライゲーションされたオリゴヌクレオチドを形成する工程；
（ｂ）ライゲーションされたオリゴヌクレオチドを増幅する工程；
（ｃ）ミクロスフェア上へライゲーションされたオリゴヌクレオチドを捕捉する工程；および
（ｄ）調査中の塩基が同定される、フローサイトメトリーを用いるミクロスフェアの蛍光の分析工程
の順序からなる方法。
【請求項９】  オリゴヌクレオチド１がビオチン化され、およびミクロスフェアがアビジンまたはストレプトアビジンで被覆されている請求項８記載の方法。
【請求項１０】  ミクロスフェアがビオチン化され、およびオリゴヌクレオチド１がアビジンまたはストレプトアビジンに結合されている請求項８記載の方法。
【請求項１１】  オリゴヌクレオチド１がミクロスフェアに共有結合されている請求項８記載の方法。
【請求項１２】  オリゴヌクレオチド１が、ミクロスフェア上に固定されている相補的な捕捉プローブにハイブリダイズされる請求項８記載の方法。
【請求項１３】  配列タグが相補的な捕捉プローブにハイブリダイズされ、配列タグおよび捕捉プローブはイソ−Ｃおよび５−メチル−イソ−Ｇからなる群より選択された非天然型塩基を含む請求項１２記載の方法。
【請求項１４】  サンプル核酸において特定のヌクレオチド配列の存在を同定する方法であって、
（ａ）特定のヌクレオチド配列が存在する場合、サンプル核酸にハイブリダイズされる場合に互いにライゲーションできる一対のオリゴヌクレオチド配列を、リガーゼの存在下で、サンプル核酸にハイブリダイズし、ライゲーションされたオリゴヌクレオチド複合体を生成する工程であり、一方のオリゴヌクレオチドがさらにＰＣＲプライマー１配列を含むテイル配列を含み、他方のオリゴヌクレオチドがさらにＰＣＲプライマー２配列の相補体を含むテイル配列を含む工程；
（ｂ）ライゲーションされたオリゴヌクレオチド複合体をＰＣＲプライマー１および２配列に相当するＰＣＲプライマー１および２と共にＰＣＲ増幅する工程であり、少なくとも一つのプライマーが蛍光標識されており、蛍光標識されたＰＣＲ増幅産物を生成する工程；および
（ｃ）ＰＣＲ増幅産物の少なくとも一部と相補的なポリヌクレオチド配列に連結されたミクロスフェアにＰＣＲ増幅産物を捕捉する工程
を含み、特定のヌクレオチド配列の存在がライゲーションされたオリゴヌクレオチド複合体に相当する標識化された増幅産物の検出により同定され、標識化された増幅産物がミクロスフェアをフローサイトメーターで光学的に検出することにより検出される方法。
【請求項１５】  サンプル核酸において特定のヌクレオチド配列の存在を同定する方法であって、
（ａ）特定のヌクレオチド配列が存在する場合、サンプル核酸にハイブリダイズされる場合に互いにライゲーションできる一対のオリゴヌクレオチド配列を、リガーゼの存在下で、サンプル核酸にハイブリダイズし、ライゲーションされたオリゴヌクレオチド複合体を生成する工程であり、一方のオリゴヌクレオチドがさらにＰＣＲプライマー１配列を含むテイル配列を含み、他方のオリゴヌクレオチドがさらにＰＣＲプライマー２配列の相補体を含むテイル配列を含む工程；
（ｂ）蛍光標識されたｄＮＴＰの存在下で、ライゲーションされたオリゴヌクレオチド複合体をＰＣＲプライマー１および２配列に相当するＰＣＲプライマー１および２と共にＰＣＲ増幅し、蛍光標識されたＰＣＲ増幅産物を生成する工程；および
（ｃ）ＰＣＲ増幅産物の少なくとも一部と相補的なポリヌクレオチド配列に連結されたミクロスフェアとＰＣＲ増幅産物を捕捉する工程
を含み、特定のヌクレオチド配列の存在がライゲーションされたオリゴヌクレオチド複合体に相当する標識化された増幅産物の検出により同定され、標識化された増幅産物がミクロスフェアをフローサイトメーターで光学的に検出することにより検出される方法。